(57)【特許請求の範囲】
【請求項１】
ＤＣＮ帯域信号、ＰＣＳ帯域信号およびＧＰＳ帯域信号の各帯域信号を含むＲＦ信号を受信する１つの三重帯域アンテナと、
該三重帯域アンテナによって受信された前記ＲＦ信号を電気的スイッチングにより前記各帯域信号別に分岐して、分岐されたＤＣＮ帯域信号、ＰＣＳ帯域信号およびＧＰＳ帯域信号を、それぞれ、ＤＣＮデュプレクサー（ｄｕｐｌｅｘｅｒ）、ＰＣＳデュプレクサー（ｄｕｐｌｅｘｅｒ）およびＧＰＳ帯域通過フィルター（ｂａｎｄ  ｐａｓｓ  ｆｉｌｔｅｒ）に出力する電気的スイッチと、
前記電気的スイッチを制御するための帯域選択信号を出力するＣＰＵとを備え、
前記電気的スイッチは、ＳＰ３Ｔ（Ｓｉｎｇｌｅ−Ｐｏｌｅ  Ｔｒｉｐｌｅ  Ｔｈｒｏｗ）スイッチであることを特徴とする移動通信端末機の信号分岐装置。
【請求項２】
前記入力されたＲＦ信号がＤＣＮ帯域信号を含む時、前記ＤＣＮデュプレクサーは、前記電気的スイッチを通して入力されるＤＣＮ帯域信号の入力を受けて、受信周波数信号のみを分離して内部信号処理部に出力することを特徴とする請求項１記載の移動通信端末機の信号分岐装置。
【請求項３】
前記入力されたＲＦ信号がＰＣＳ帯域信号を含む時、前記ＰＣＳデュプレクサーは、前記電気的スイッチを通して入力されるＰＣＳ帯域信号の入力を受けて、受信周波数信号のみを分離して内部信号処理部に出力することを特徴とする請求項１記載の移動通信端末機の信号分岐装置。
【請求項４】
前記入力されたＲＦ信号がＧＰＳ帯域信号を含む時、前記ＲＦ帯域通過フィルター（ｂａｎｄ  ｐａｓｓ  ｆｉｌｔｅｒ）は、前記電気的スイッチを通して入力されるＧＰＳ帯域のＲＦ信号の入力を受けて、受信周波数信号のみを分離して内部信号処理部に出力することを特徴とする請求項１記載の移動通信端末機の信号分岐装置。
【請求項５】
前記電気的スイッチは、ＧａＡｓ  ＦＥＴまたはダイオードで構成されるか、シリコン素子のＢｉＣＭＯＳ、ＣＭＯＳ、ＳｉＧｅ  ＨＢＴ、バイポーラー（Ｂｉｐｏｌａｒ）で構成されることを特徴とする請求項１記載の移動通信端末機の信号分岐装置。
【請求項６】
前記電気的スイッチが、ＳＰ３Ｔ（Ｓｉｎｇｌｅ−Ｐｏｌｅ  Ｔｒｉｐｌｅ  Ｔｈｒｏｗ）に代えて、ＳＰＤＴ（Ｓｉｎｇｌｅ−Ｐｏｌｅ  Ｄｏｕｂｌｅ  Ｔｈｒｏｗ）、ＳＰ４Ｔ（Ｓｉｎｇｌｅ−Ｐｏｌｅ  Ｑｕａｄｒｕｐｌｅ  Ｔｈｒｏｗ）、ＤＰＤＴ（Ｄｏｕｂｌｅ−Ｐｏｌｅ  Ｄｏｕｂｌｅ  Ｔｈｒｏｗ）、ＤＰ３Ｔ（Ｄｏｕｂｌｅ−Ｐｏｌｅ  Ｔｒｉｐｌｅ  Ｔｈｒｏｗ）、ＤＰ４Ｔ（Ｄｏｕｂｌｅ−Ｐｏｌｅ  Ｑｕａｄｒｕｐｌｅ  Ｔｈｒｏｗ）、及びＰＩＮダイオードを使用したスイッチ回路のいずれかであることを特徴とする請求項１記載の移動通信端末機の信号分岐装置。
【発明の詳細な説明】
【０００１】
【発明の属する技術分野】
本発明は、移動通信端末機の受信装置に係るもので、詳しくは、アンテナと送受信機端子間の相互に異なる帯域間の干渉を遮断して、送受信性能を改善した移動通信端末機の信号分岐装置及び方法に関する。
【０００２】
【従来の技術】
図４は従来ＣＤＭＡ移動通信端末機の概略的なブロック図である。
【０００３】
図示されたように、ＣＤＭＡ移動通信端末機は、アンテナ１０、ＲＦ（Ｒａｄｉｏ  Ｆｒｅｑｕｅｎｃｙ）部２０、ＩＦ（Ｉｎｔｅｒｍｅｄｉａｔｅ  Ｆｒｅｑｕｅｎｃｙ）部３０、ＢＢＡ（Ｂａｓｅｂａｎｄ  Ａｎａｌｏｇ）部４０、ベースバンドモデム（Ｂａｓｅｂａｎｄ  Ｍｏｄｅｍ）５０、及び入出力部６０で構成されている。
【０００４】
この時、ＲＦ部２０は変調されたキャリア（Ｃａｒｒｉｅｒ）の高周波信号と中間周波数との間の変換を担当し、ＩＦ部３０は中間周波数とベースバンド（Ｂａｓｅｂａｎｄ）との間の変換を担当し、ＢＢＡ部４０はベースバンドのアナログ信号とデジタル信号との変換を担当する。また、ベースバンドモデム（Ｂａｓｅｂａｎｄ  Ｍｏｄｅｍ）５０は、入出力部６０を構成するディスプレーパネルとキーパッドの入出力信号、及びマイクとイヤホンの音声入出力などを調節する。
【０００５】
図５は従来ＣＤＭＡ移動通信端末機のＲＦ部分を示した構成図である。
【０００６】
図示されたように、外部からＲＦ信号を受信する時、アンテナ１０から入力されたＲＦ信号は、デュプレクサー（Ｄｕｐｌｅｘｅｒ）２１により受信周波数信号のみが分離される。次いで、受信周波数信号は、低雑音増幅器（Ｌｏｗ  Ｎｏｉｓｅ  Ａｍｐ．：ＬＮＡ）２６により増幅されて、帯域通過フィルター（Ｂａｎｄ  ｐａｓｓ  ｆｉｌｔｅｒ）２７を経て、下向周波数混合器（Ｄｏｗｎ−ｃｏｎｖｅｒｓｉｏｎ  ｍｉｘｅｒ：ＤＭＩＸ）２８により中間周波数信号に変換される。次いで、その変換された中間周波数信号は、中間周波数増幅器（ＩＦ  Ａｍｐ．）２９により増幅された後、ＩＦ部３０に送られる。
【０００７】
これに対して、送信する時、ＩＦ部３０から出力された中間周波数送信信号が上向周波数混合器（Ｕｐ−ｃｏｎｖｅｒｓｉｏｎ  ｍｉｘｅｒ：ＵＭＩＸ）２５によりＲＦ信号に変換されて、帯域通過フィルター（Ｂａｎｄ  ｐａｓｓ  ｆｉｌｔｅｒ）２４を経て、駆動増幅器（Ｄｒｉｖｅｒ  Ａｍｐ．）２３により増幅される。次いで、電力増幅器（Ｐｏｗｅｒ  Ａｍｐ．）２２では入力された信号を電力増幅して、アンテナ１０を通して基地局に増幅された信号を送出する。
【０００８】
一方、最近、衛星を利用した位置追跡機能（ｇｌｏｂａｌ  ｐｏｓｉｔｉｏｎｉｎｇ  ｓｙｓｔｅｍ：ＧＰＳ）を内蔵したＣＤＭＡ移動通信端末機が登場している。
【０００９】
前記ＧＰＳ機能を内蔵したＣＤＭＡ移動通信端末機は、８００ＭＨｚ帯域のＤＣＮ、１．８ＧＨｚ帯域の韓国型ＰＣＳ、１．９ＧＨｚ帯域の米国式ＰＣＳ中何れか一つ以上の帯域を支援し、これと同時に、１．５ＧＨｚ帯域のＧＰＳが支援される構造を有している。即ち、ＧＰＳ機能を内蔵したＣＤＭＡ移動通信端末機は、ＤＣＮ、ＧＰＳまたはＰＣＳ、ＧＰＳが一つの端末機内に内蔵された二重帯域（Ｄｕａｌ  Ｂａｎｄ）端末機と、ＤＣＮ、ＰＣＳ、及びＧＰＳが一つの端末機内に内蔵された三重帯域（Ｔｒｉ  Ｂａｎｄ）端末機とに区分される。
【００１０】
図６は従来の三重帯域が支援される単一アンテナを使用した移動通信端末機の受信装置を示した例示図で、図７は従来の二重帯域アンテナと単一帯域アンテナを使用した移動通信端末機の受信装置を示した例示図である。
【００１１】
図６及び図７に示されたように、前記移動通信端末機は、一つ以上の帯域で動作するため、多重帯域が支援されるアンテナから各帯域別にＲＦ信号を分岐させる回路が必要となる。
【００１２】
例えば、一般的に、構造が最も複雑である米国式三重帯域端末機の場合は、ＤＣＮ、ＰＣＳ、及びＧＰＳの三重帯域が支援される一つのアンテナ７０を使用したり、ＤＣＮとＰＣＳが支援される二重帯域アンテナ８０と、ＧＰＳのみを支援する単一帯域アンテナ９０をそれぞれ使用する方法がある。
【００１３】
以下、ＤＣＮ、ＰＣＳ、及びＧＰＳの三重帯域が支援される一つのアンテナに対し、図６を用いて説明する。
【００１４】
三重帯域アンテナ７０から受信されるＲＦ信号は、ダイプレクサー（ｄｉｐｌｅｘｅｒ）７１を通してＤＣＮ帯域のデュプレクサー７５と、ＧＰＳ及びＰＣＳ帯域のもう一つのダイプレクサー（ｄｉｐｌｅｘｅｒ）７２とに分岐される。次いで、ダイプレクサー（ｄｉｐｌｅｘｅｒ）７２は、入力信号が１．５ＧＨｚ帯域であると、入力信号をＧＰＳ帯域のＲＦ帯域通過フィルター７３に送り、入力信号が１．９ＧＨｚ帯域であると、入力信号をＰＣＳ帯域のＰＣＳデュプレクサー７４に送る。即ち、前記各ダイプレクサー（ｄｉｐｌｅｘｅｒ）７１、７２は、アンテナ７０から受けた入力信号が８００ＭＨｚ帯域であると、その入力信号をＤＣＮ送受信機端子に出力し、アンテナ７０から受けた入力信号が１．５〜１．８ＧＨｚ帯域であると、その入力信号をＧＰＳ／ＰＣＳ送受信機端子に出力する、二つの帯域通過濾波器が一つに合わせられた一種の手動的濾波器である。
【００１５】
以下、ＤＣＮとＰＣＳが支援される二重帯域アンテナ８０と、ＧＰＳのみを支援する単一帯域アンテナ９０とをそれぞれ使用する方法に対し、図７を用いて説明する。
【００１６】
二重帯域アンテナ８０から受信されたＲＦ信号はダイプレクサー（ｄｉｐｌｅｘｅｒ）を経て、ＰＣＳ帯域の場合はＰＣＳデュプレクサー８３に、ＤＣＮ帯域の場合はＤＣＮデュプレクサー８２に分岐され、ＧＰＳ信号はＧＰＳ帯域の別途のアンテナ９０から受信されてＲＦ帯域通過フィルター９１に入力される。
【００１７】
【発明が解決しようとする課題】
然るに、従来の移動通信端末機においては、信号分岐のためのダイプレクサー（ｄｉｐｌｅｘｅｒ）７１、７２、８１は、一般的に信号が通過する時の損失を示す挿入損失（Ｉｎｓｅｒｔｉｏｎ  Ｌｏｓｓ）が０．５〜０．８ｄＢで、各帯域間の分離度を示す隔離度（ｉｓｏｌａｔｉｏｎ）が１５〜２０ｄＢ程度であるが、多重帯域信号を分岐するために、二つまたはそれ以上のダイプレクサー（ｄｉｐｌｅｘｅｒ）を経ることで挿入損失が増加するため、受信感度（Ｒｅｃｅｉｖｅｒ  Ｓｅｎｓｉｔｉｖｉｔｙ）が低下するという不都合な点があった。
【００１８】
例えば、図６の二つのダイプレクサー（ｄｉｐｌｅｘｅｒ）７１、７２を利用した時、挿入損失は１〜１．５ｄＢまで増加する。また、帯域間隔離度（ｉｓｏｌａｔｉｏｎ）が重要なＧＰＳの場合、１５〜２０ｄＢ程度の隔離度（ｉｓｏｌａｔｉｏｎ）は、相互異なる帯域間の干渉を遮断するのに多少弱い仕様となることもあり得る。
【００１９】
本発明は、このような従来の課題に鑑みてなされたもので、アンテナと送受信機端子間に電気的スイッチを利用して、相互に異なる帯域間の干渉を遮断する移動通信端末機の信号分岐装置及び方法を提供することを目的とする。
【００２０】
【課題を解決するための手段】
本発明の移動通信端末機の信号分岐方法は、ＣＰＵの帯域選択信号により入力されたＲＦ信号を電気的にスイッチングして、各帯域に対応するポートに分岐して送受信機端子に出力することを特徴とする。
【００２１】
アンテナを通して前記ＲＦ信号の入力を受ける段階と、その入力されたＲＦ信号に対応する前記ＣＰＵの帯域選択信号を電気的スイッチに出力する段階と、をさらに包含することを特徴とする。
【００２２】
前記スイッチングは、複数の入力信号の入力を受けて、前記ＣＰＵの帯域選択信号により複数の出力ポート中何れか一つに分岐させることを特徴とする。
【００２３】
前記入力されたＲＦ信号がＤＣＮ帯域信号を含む時、ＤＣＮデュプレクサーは、前記電気的スイッチを通して入力されるＤＣＮ信号の入力を受けて、受信周波数信号のみを分離して内部信号処理部に印加することを特徴とする。
【００２４】
前記入力されたＲＦ信号がＰＣＳ帯域信号を含む時、ＰＣＳデュプレクサーは、前記電気的スイッチを通して入力されるＰＣＳ信号の入力を受けて、受信周波数信号のみを分離して内部信号処理部に印加することを特徴とする。
【００２５】
前記入力されたＲＦ信号がＧＰＳ帯域信号を含む時、ＲＦ帯域通過フィルター（ｂａｎｄ  ｐａｓｓ  ｆｉｌｔｅｒ）は、前記電気的スイッチを通して入力されるＧＰＳ帯域のＲＦ信号の入力を受けて、受信周波数信号のみを分離して内部信号処理部に印加することを特徴とする。
【００２６】
前記スイッチングは、前記アンテナから入力されたＲＦ信号が８００ＭＨｚ帯域であると、ＤＣＮデュプレクサーに分岐され、１．５ＧＨｚ帯域であると、ＧＰＳ帯域通過フィルターに分岐され、１．９ＧＨｚ帯域であると、ＰＣＳデュプレクサーに分岐されることを特徴とする。
【００２７】
請求項３記載の移動通信端末機の信号分岐方法前記ＲＦ信号は、多重帯域信号を含むことを特徴とする。
【００２８】
前記電気的スイッチは、前記多重帯域信号を含む一つの入力信号の入力を受けて、前記ＣＰＵの帯域選択信号によって三つの出力ポート中何れか一つに分岐させることを特徴とする。
【００２９】
前記電気的スイッチは、前記多重帯域信号を含む二つの入力信号の入力を受けて、前記ＣＰＵの帯域選択信号によって三つの出力ポート中何れか一つに分岐させることを特徴とする。
【００３０】
本発明の移動通信端末機の信号分岐装置は、アンテナからＲＦ信号の入力を受けて、電気的スイッチングにより各帯域別に分岐して送受信機端子に出力する電気的スイッチと、該電気的スイッチを制御するための帯域選択信号を印加するＣＰＵと、を含んで構成されることを特徴とする。
【００３１】
前記電気的スイッチは、複数の入力信号の入力を受けて、前記ＣＰＵの帯域選択信号によって複数の出力ポート中何れか一つに分岐させることを特徴とする。
【００３２】
前記送受信機端子は、ＤＣＮデュプレクサー（ｄｕｐｌｅｘｅｒ）、ＰＣＳデュプレクサー（ｄｕｐｌｅｘｅｒ）、ＲＦ帯域通過フィルター（ｂａｎｄ  ｐａｓｓ  ｆｉｌｔｅｒ）であることを特徴とする。
【００３３】
前記入力されたＲＦ信号がＤＣＮ帯域信号を含む時、前記ＤＣＮデュプレクサーは、前記電気的スイッチを通して入力されるＤＣＮ帯域信号の入力を受けて、受信周波数信号のみを分離して内部信号処理部に印加することを特徴とする。
【００３４】
前記入力されたＲＦ信号がＰＣＳ帯域信号を含む時、前記ＰＣＳデュプレクサーは、前記電気的スイッチを通して入力されるＰＣＳ帯域信号の入力を受けて、受信周波数信号のみを分離して内部信号処理部に印加することを特徴とする。
【００３５】
前記入力されたＲＦ信号がＧＰＳ帯域信号を含む時、前記ＲＦ帯域通過フィルター（ｂａｎｄ  ｐａｓｓ  ｆｉｌｔｅｒ）は、前記電気的スイッチを通して入力されるＧＰＳ帯域のＲＦ信号の入力を受けて、受信周波数信号のみを分離して内部信号処理部に印加することを特徴とする。
【００３６】
前記電気的スイッチは、ＧａＡｓ  ＦＥＴまたはダイオードで構成されるか、シリコン素子のＢｉＣＭＯＳ、ＣＭＯＳ、ＳｉＧｅ  ＨＢＴ、バイポーラー（Ｂｉｐｏｌａｒ）で構成されることを特徴とする。
【００３７】
前記電気的スイッチは、ＳＰＤＴ（Ｓｉｎｇｌｅ−Ｐｏｌｅ  Ｄｏｕｂｌｅ  Ｔｈｒｏｗ）、ＳＰ３Ｔ（Ｓｉｎｇｌｅ−Ｐｏｌｅ  Ｔｒｉｐｌｅ  Ｔｈｒｏｗ）、ＳＰ４Ｔ（Ｓｉｎｇｌｅ−Ｐｏｌｅ  Ｑｕａｄｒｕｐｌｅ  Ｔｈｒｏｗ）、ＤＰＤＴ（Ｄｏｕｂｌｅ−Ｐｏｌｅ  Ｄｏｕｂｌｅ  Ｔｈｒｏｗ）、ＤＰ３Ｔ（Ｄｏｕｂｌｅ−Ｐｏｌｅ  Ｔｒｉｐｌｅ  Ｔｈｒｏｗ）、ＤＰ４Ｔ（Ｄｏｕｂｌｅ−Ｐｏｌｅ  Ｑｕａｄｒｕｐｌｅ  Ｔｈｒｏｗ）、及びＰＩＮダイオードを使用したスイッチ回路であることを特徴とする。
【００３８】
前記電気的スイッチは、一つの入力信号を受けて、前記ＣＰＵの帯域選択信号によって三つの出力ポート中何れか一つに分岐させることを特徴とする。
【００３９】
前記ＣＰＵは、帯域選択信号をＧＰＩＯ（Ｇｅｎｅｒａｌ  Ｐｕｒｐｏｓｅ  Ｉｎｐｕｔ  Ｏｕｔｐｕｔ）ポートを通して前記電気的スイッチに出力することを特徴とする。
【００４０】
前記電気的スイッチは、二つの入力信号を受けて、その中の一つを前記ＣＰＵの帯域選択信号によって三つの出力ポート中何れか一つに分岐させることを特徴とする。
【００４１】
前記ＣＰＵは、帯域選択信号をＧＰＩＯ（Ｇｅｎｅｒａｌ  Ｐｕｒｐｏｓｅ  Ｉｎｐｕｔ  Ｏｕｔｐｕｔ）ポートを通して前記電気的スイッチに出力することを特徴とする。
【００４２】
前記アンテナは、ＰＣＳ、ＤＳＮ、ＧＰＳ帯域の信号を受信する三重帯域アンテナであることを特徴とする。
【００４３】
前記アンテナは、ＰＣＳ及びＤＳＮ帯域の信号を受信する二重帯域アンテナと、ＧＰＳ帯域の信号を受信するＧＰＳアンテナであることを特徴とする。
【００４４】
前記移動通信端末機は、ＤＣＮ、ＧＰＳまたはＰＣＳ、ＧＰＳ機能が一つの端末機内に内蔵された二重帯域（ｄｕａｌ−ｂａｎｄ）端末機であることを特徴とする。
【００４５】
前記移動通信端末機は、ＤＣＮ、ＰＣＳ、ＧＰＳ機能が一つの端末機内に内蔵された三重帯域（ｔｒｉ−ｂａｎｄ）端末機であることを特徴とする。
【００４６】
前記移動通信端末機は、ＧＰＳ（ｇｌｏｂａｌ  ｐｏｓｉｔｉｏｎｉｎｇ  ｓｙｓｔｅｍ）機能が内蔵された多重帯域端末機であることを特徴とする。
【００４７】
このような目的を達成するため、本発明に係る移動通信端末機の信号分岐装置においては、アンテナからＲＦ信号の入力を受けて、電気的スイッチングにより各帯域別に分岐して送受信機端子に出力する電気的スイッチと、該電気的スイッチを制御するための帯域選択信号を印加するＣＰＵと、を含んで構成されることを特徴とする。
【００４８】
且つ、ＣＰＵの帯域選択信号により入力されたＲＦ信号を電気的にスイッチングして、各帯域に対応するポートに分岐して、送受信機端子に出力して遂行することを特徴とする。
【００４９】
【発明の実施の形態】
以下、本発明の実施の形態に対し、図面を用いて説明する。
【００５０】
図１は本発明に係る移動通信端末機の信号分岐装置に対する構成を示した概略図である。
【００５１】
図示されたように、移動通信端末機の信号分岐装置は、ＤＣＮ、ＰＣＳ及びＧＰＳ帯域のＲＦ信号を受信する三重帯域アンテナ７０と、前記ＲＦ信号の入力を受けて、電気的スイッチングにより前記三重帯域アンテナを通して受信される信号を帯域別に分岐するＳＰ３Ｔスイッチ１０１と、該ＳＰ３Ｔスイッチ１０１を通して入力されるＤＣＮ帯域信号の入力を受けて、受信周波数信号のみを分離するＤＣＮデュプレクサー１０２と、前記ＳＰ３Ｔスイッチ１０１を通して入力されるＰＣＳ帯域信号の入力を受けて、受信周波数信号のみを分離するＰＣＳデュプレクサー１０３と、前記ＳＰ３Ｔスイッチ１０１を通してＧＰＳ帯域のＲＦ信号の入力を受けて、受信周波数信号のみを分離するＲＦ帯域通過フィルター１０４と、前記アンテナ７０から受信される信号を各帯域別に分岐させるための帯域選択信号を前記ＳＰ３Ｔスイッチ１０１に印加するＣＰＵ１００と、を含んで構成されている。
【００５２】
以下、このように構成された本発明に係る移動通信端末機の信号分岐装置の動作に対して説明する。
【００５３】
まず、ＳＰ３Ｔスイッチ１０１は、三重帯域アンテナ７０を通してＤＣＮ、ＰＣＳ、及びＧＰＳ帯域のＲＦ信号の入力を受けて、これをＣＰＵ１００の帯域選択信号により電気的にスイッチングしてモード別に分岐する。この時、ＣＰＵ１００は、現在処理しているＤＣＮ、ＰＣＳ、ＧＰＳモードを処理するために、ＧＰＩＯ（Ｇｅｎｅｒａｌ  Ｐｕｒｐｏｓｅ  Ｉｎｐｕｔ  Ｏｕｔｐｕｔ）ポート（図示せず）を通して帯域選択信号をＳＰ３Ｔスイッチ１０１に印加する。
【００５４】
もし、現在のモードがＤＣＮモードであると、ＤＣＮデュプレクサー１０２は、前記ＳＰ３Ｔスイッチ１０１を通して入力されるＤＣＮ信号の入力を受けて、受信周波数信号のみを分離して内部信号処理部に印加する。そして、現在のモードがＰＣＳモードであると、ＰＣＳデュプレクサー１０３は、ＳＰ３Ｔスイッチ１０１を通してＰＣＳ信号の入力を受けて、受信周波数信号のみを分離して内部信号処理部に印加する。また、現在のモードがＧＰＳモードであると、ＲＦ帯域通過フィルター１０４は、前記ＳＰ３Ｔスイッチ１０１を通してＧＰＳ帯域のＲＦ信号の入力を受けて、受信周波数信号のみを分離して内部信号処理部に印加する。即ち、ＳＰ３Ｔスイッチ１０１は、一つの入力信号の入力を受けて、前記ＣＰＵ１００の帯域選択信号によって三つの出力ポート中の何れか一つに分岐させる。
【００５５】
図２は本発明に係る移動通信端末機のＳＰ３Ｔ（Ｓｉｎｇｌｅ−Ｐｏｌｅ  Ｔｒｉｐｌｅ  Ｔｈｒｏｗ）スイッチの構成を示した例示図である。
【００５６】
図示されたように、前記ＳＰ３Ｔ（Ｓｉｎｇｌｅ−Ｐｏｌｅ  Ｔｒｉｐｌｅ  Ｔｈｒｏｗ）スイッチは、入力信号が入ると、三つの出力ポート中の何れか一つに信号を分岐させる。この時、前記スイッチの制御方式は、ＣＰＵからデジタルＬｏｗ／Ｈｉｇｈ制御信号を受けて、三つの出力経路中の何れか一つを決定する。
【００５７】
前記ＳＰ３Ｔスイッチのような電気的スイッチは、挿入損失が０．３ｄＢ程度で低く、何よりも、帯域間隔離度（ｉｓｏｌａｔｉｏｎ）が非常に優れているため、各帯域における送受信性能をより改善することができる。この時、前記電気的スイッチの隔離度（ｉｓｏｌａｔｉｏｎ）が優秀な理由は、電気的に連結される入出力ポート間の抵抗値が非常に小さいが、他の出力ポートは電気的に断線状態になるためである。即ち、スイッチを通過する時に挿入損失が存在し、反対側の出力ポートには大きな隔離度（Ｉｓｏｌａｔｉｏｎ）を有するため、ダイプレクサー（Ｄｉｐｌｅｘｅｒ）の代りに、ＲＦ端子信号分岐用途に使用することができる。
【００５８】
一方、図３は本発明に係る移動通信端末機の信号分岐装置に対する他の実施形態を示した概略図である。
【００５９】
図示されたように、移動通信端末機の信号分岐装置は、ＰＣＳ及びＤＮＳ帯域のＲＦ信号を受信する二重帯域アンテナ８０と、ＧＰＳ帯域の信号を受信するＧＰＳアンテナ９０と前記ＲＦ信号の入力を受けて、電気的スイッチングにより前記二重帯域アンテナ及びＧＰＳアンテナを通して受信される信号をモード別に分岐するＤＰ３Ｔスイッチ１１１と、該ＤＰ３Ｔスイッチ１１１を通して入力されるＤＣＮ帯域信号の入力を受けて、受信周波数信号のみを分離するＤＣＮデュプレクサー１１２と、前記ＤＰ３Ｔスイッチ１１１を通して入力されるＰＣＳ帯域信号の入力を受けて、受信周波数信号のみを分離するＰＣＳデュプレクサー１１３と、前記ＤＰ３Ｔスイッチ１１１を通してＲＦ信号の入力を受けて、受信周波数信号のみを分離するＲＦ帯域通過フィルター１１４と、前記二重帯域アンテナ８０及びＧＰＳアンテナ９０から受信される信号を各モード別に分岐させるための帯域選択信号を前記ＤＰ３Ｔスイッチ１１１に印加するＣＰＵ１００と、を含んで構成されている。
【００６０】
以下、このように構成された本発明に係る移動通信端末機の信号分岐装置の動作に対して説明する。
【００６１】
ＤＰ３Ｔスイッチ１１１は、二重帯域アンテナ８０及びＧＰＳアンテナ９０を通してＲＦ信号の入力を受けて、これをＣＰＵの帯域選択信号により電気的にスイッチングしてモード別に分岐する。この時、端末機ＣＰＵは、現在処理しているＤＣＮ、ＰＣＳ、ＧＰＳモードを処理するために、ＧＰＩＯ（ＧｅｎｅｒａｌＰｕｒｐｏｓｅ  Ｉｎｐｕｔ  Ｏｕｔｐｕｔ）ポートを通して帯域選択信号（分岐制御信号）をＤＰ３Ｔスイッチ１７に印加する。
【００６２】
もし、現在のモードがＤＣＮモードであると、ＤＣＮデュプレクサー１１２は、前記ＤＰ３Ｔスイッチ１１１を通して入力されるＤＣＮ帯域信号の入力を受けて、受信周波数信号のみを分離して内部信号処理部に印加する。そして、現在のモードがＰＣＳモードであると、ＰＣＳデュプレクサー１１３は、前記ＤＰ３Ｔスイッチ１１１を通してＰＣＳ信号の入力を受けて、受信周波数信号のみを分離して内部信号処理部に印加する。また、現在のモードがＧＰＳモードであると、ＲＦ帯域通過フィルター１１４は、前記ＤＰ３Ｔスイッチ１１１を通してＧＰＳ帯域のＲＦ信号の入力を受けて、受信周波数信号のみを分離して内部信号処理部に印加する。従って、前記ＤＰ３Ｔスイッチ１１１は、二つの入力信号の入力を受けて、その中の一つをＣＰＵの帯域選択信号によって三つの出力ポート中の何れか一つに分岐させることができる。
【００６３】
一方、前記ＳＰ３Ｔ（Ｓｉｎｇｌｅ−Ｐｏｌｅ  Ｔｒｉｐｌｅ  Ｔｈｒｏｗ）、ＤＰ３Ｔ（Ｄｏｕｂｌｅ−Ｐｏｌｅ  Ｔｒｉｐｌｅ  Ｔｈｒｏｗ）スイッチ以外にも、前記電気的スイッチは、複数の入力信号の入力を受けて、前記ＣＰＵの帯域選択信号により複数の出力ポート中の何れか一つに分岐させるように構成することができる。即ち、前記電気的スイッチは、ＳＰＤＴ（Ｓｉｎｇｌｅ−Ｐｏｌｅ  Ｄｏｕｂｌｅ  Ｔｈｒｏｗ）、ＳＰ４Ｔ（Ｓｉｎｇｌｅ−Ｐｏｌｅ  Ｑｕａｄｒｕｐｌｅ  Ｔｈｒｏｗ）、ＤＰＤＴ（Ｄｏｕｂｌｅ−Ｐｏｌｅ  Ｄｏｕｂｌｅ  Ｔｈｒｏｗ）、ＤＰ４Ｔ（Ｄｏｕｂｌｅ−Ｐｏｌｅ  ＱｕａｄｒｕｐｌｅＴｈｒｏｗ）、及びＰＩＮダイオードを使用したスイッチ回路で構成することができる。また、このように構成するために、前記電気的スイッチは、半導体製作工程によってＧａＡｓ  ＦＥＴまたはダイオードで製作されたり、シリコン素子のＢｉＣＭＯＳ、ＣＭＯＳ、ＳｉＧｅ  ＨＢＴ、及びバイポーラー（Ｂｉｐｏｌａｒ）で製作される。
【００６４】
【発明の効果】
以上説明したように、本発明に係る移動通信端末機においては、アンテナから受信されるＲＦ信号を各帯域のデュプレクサーに分岐するために、ダイプレスサーを使用する代わりに、前記電気的スイッチを利用する。よって、本発明に係る移動通信端末機においては、電気的スイッチを使用して挿入損失（Ｉｎｓｅｒｔｉｏｎ  Ｌｏｓｓ）を低下させ、各帯域間の隔離度（ｉｓｏｌａｔｉｏｎ）を強化することで、他の帯域の信号が入って妨害波として動作することがないため、各帯域における最適の受信感度（Ｒｅｃｅｉｖｅｒ  Ｓｅｎｓｉｔｉｖｉｔｙ）を維持し得るという効果がある。
【００６５】
以上説明した内容によって、当業者なら本発明の技術思想から逸脱しない範囲で多様な変形及び修正が可能であることがわかる。従って、本発明の技術的範囲は、明細書の詳細な説明に記載された内容に限定されることなく、特許請求の範囲によって定められるべきである。
【図面の簡単な説明】
【図１】本発明に係る移動通信端末機の信号分岐装置に対する構成を示した概略図である。
【図２】本発明に係る移動通信端末機のＳＰ３Ｔ（Ｓｉｎｇｌｅ−Ｐｏｌｅ  Ｔｒｉｐｌｅ  Ｔｈｒｏｗ）スイッチの構成を示した例示図である。
【図３】本発明に係る移動通信端末機の信号分岐装置に対する他の実施形態を示した概略図である。
【図４】従来ＣＤＭＡ移動通信端末機の概略的なブロック図である。
【図５】従来ＣＤＭＡ移動通信端末機のＲＦ部分を示した構成図である。
【図６】従来の三重帯域が支援される単一アンテナを使用した移動通信端末機の受信装置を示した例示図である。
【図７】従来の二重帯域アンテナと単一帯域アンテナを使用した移動通信端末機の受信装置を示した例示図である。
【符号の説明】
１０、７０、８０、９０    アンテナ
２０    ＲＦ部
２１    デュプレクサー
２２    電力増幅器
２３    駆動増幅器
２４、２７    帯域通過フィルター
２５    下向周波数混合器
２８    上向周波数混合器
２６    低雑音増幅器（ＬＮＡ）
２９    中間周波数増幅器（ＩＦ  Ａｍｐ）
３０    ＩＦ（Ｉｎｔｅｒｍｅｄｉａｔｅ  Ｆｒｅｑｕｅｎｃｙ）部
４０    ＢＢＡ（Ｂａｓｅｂａｎｄ  Ａｎａｌｏｇ）部
５０    ベースバンドモデム
６０    入出力部
７１、７２、８１    ダイプレクサー
７３、９１、１０４、１１４    ＲＦ帯域通過フィルター
７４、８３、１０３、１１３    ＰＣＳデュプレクサー
７５、８２、１０２、１１２    ＤＣＮデュプレクサー
１００    ＣＰＵ
１０１    ＳＰ３Ｔスイッチ
１１１    ＤＰ３Ｔスイッチ
【図１】
0003805307.tif 000002
【図２】
0003805307.tif 000003
【図３】
0003805307.tif 000004
【図４】
0003805307.tif 000005
【図５】
0003805307.tif 000006
【図６】
0003805307.tif 000007
【図７】
0003805307.tif 000008